(57)【特許請求の範囲】
【請求項１】
患者の血液を体外で循環させ体内に送り返すべく血液ポンプを有した動脈側血液回路及び静脈側血液回路から成る血液回路と、
該血液回路中を流れる血液を通過させる血液流通路、及び透析液を通過させる透析液流通路が形成され、これら血液流通路と透析液流通路との間に血液浄化膜を内在した血液浄化器と、
該血液浄化器の透析液流通路に透析液を供給するとともに、当該透析液流通路を通過した透析液を排出する透析装置本体と、
を具備した透析装置を用いて患者の血液浄化及び返血回収した後、前記血液回路及び血液浄化器に残留した残留液を排出するための残留液の排出方法において、
前記動脈側血液回路と静脈側血液回路とを接続し、且つ、前記血液ポンプを駆動させつつ前記血液浄化器における血液流通路と透析液流通路との間に差圧を生じさせ、該差圧にて前記血液浄化膜を介して前記血液流通路中の残留液を透析液流通路に送ることにより、前記血液回路及び血液浄化器中の残留液を透析装置本体に排出するとともに、当該残留液の排出時であって排出開始から排出終了までの間、前記静脈側血液回路の一部を大気開放としておくことを特徴とする残留液の排出方法。
【請求項２】
前記透析液流通路中の透析液を排出又は該排出を補助するための循環ポンプが前記透析装置本体の透析液排出経路に配設された前記透析装置を用いて患者の血液を浄化した後、前記循環ポンプを駆動させることにより、前記透析液流通路を前記血液流通路より低圧とし、生じた差圧で当該血液流通路内の残留液を透析液流通路に送ることを特徴とする請求項１記載の残留液の排出方法。
【請求項３】
前記血液回路における動脈側血液回路先端と静脈側血液回路先端とを接続した状態にて、当該血液回路及び血液浄化器の残留液を透析装置本体に排出することを特徴とする請求項１又は請求項２記載の残留液の排出方法。
【請求項４】
患者の血液を体外で循環させ体内に送り返すべく血液ポンプを有した動脈側血液回路及び静脈側血液回路から成る血液回路と、
該血液回路中を流れる血液を通過させる血液流通路、及び透析液を通過させる透析液流通路が形成され、これら血液流通路と透析液流通路との間に血液浄化膜を内在した血液浄化器と、
該血液浄化器の透析液流通路に透析液を供給するとともに、当該透析液流通路を通過した透析液を排出する透析装置本体と、
を具備した透析装置を用いて患者の血液浄化及び返血回収した後、前記血液回路及び血液浄化器に残留した残留液を排出するための残留液の排出装置において、
前記動脈側血液回路と静脈側血液回路とを接続し、且つ、前記血液ポンプを駆動させつつ前記血液浄化器における血液流通路と透析液流通路との間に差圧を生じさせ、該差圧にて前記血液浄化膜を介して前記血液流通路中の残留液を透析液流通路に送ることにより、前記血液回路及び血液浄化器中の残留液を透析装置本体に排出するとともに、当該残留液の排出時であって排出開始から排出終了までの間、前記静脈側血液回路の一部を大気開放としておくことを特徴とする残留液の排出装置。
【請求項５】
前記透析液流通路中の透析液を排出又は該排出を補助するための循環ポンプが前記透析装置本体の透析液排出経路に配設された前記透析装置を用いて患者の血液を浄化した後、前記循環ポンプを駆動させることにより、前記透析液流通路を前記血液流通路より低圧とし、生じた差圧で当該血液流通路内の残留液を透析液流通路に送ることを特徴とする請求項４記載の残留液の排出装置。
【請求項６】
前記血液回路における動脈側血液回路先端と静脈側血液回路先端とを接続するための接続手段を有し、該接続手段による接続状態にて、前記血液回路及び血液浄化器の残留液を透析装置本体に排出することを特徴とする請求項４又は請求項５記載の残留液の排出装置。
【発明の詳細な説明】
【０００１】
【発明の属する技術分野】
本発明は、血液浄化作業後における血液回路及び血液浄化器中に残留した残留液を排出するための残留液の排出方法及び排出装置に関する。
【０００２】
【従来の技術】
一般に透析装置は、血液浄化器に形成された血液導入ポートと血液導出ポートとにそれぞれ血液回路を接続し、該血液回路の先端に接続された動脈側穿刺針及び静脈側穿刺針を患者に穿刺して当該血液回路内で患者の血液を循環させる一方、血液浄化器の透析液導入ポートと透析液導出ポートとに透析装置本体を接続して血液浄化器内の透析液流通路に透析液を流動させ、透析膜を介して血液中の不要物を透析液中に移動させることにより、患者の血液を浄化するものである。
【０００３】
ここで、上記血液回路及び血液浄化器は、透析装置本体に対して交換自在とされて透析治療毎に新しいものを使用するのが一般的であり、交換後の新しい血液回路及び血液浄化器に予め生理食塩水を流動させてクリーニング（プライミング）を行った後、所定の透析治療を行う。そして、透析治療後に血液回路及び血液浄化器に残った血液は、当該血液回路及び血液浄化器内に生理食塩水や空気を送り込むことにより患者の体内に戻されていた（以下、この作業を返血回収という）。
【０００４】
このうち、空気を送り込むことによる返血回収は、患者から抜針した動脈側穿刺針先端を開放状態とする一方、静脈側穿刺針を患者に穿刺した状態で血液ポンプを駆動することにより、当該動脈側穿刺針から空気を吸い込ませて行う作業であり、吸い込まれた空気が血液回路や血液浄化器内の血液を静脈側へ送り出して静脈側穿刺針から当該血液を患者の体内に戻すものである。
【０００５】
しかし、かかる空気による返血回収は、操作に不備等があると患者の体内に空気が入ってしまう虞があり、近年においては行わない方向になってきており、生理食塩水を送り込むことによる返血回収の方が、広く採用されてきている。かかる生理食塩水による返血回収は、抜針した動脈側穿刺針を生食バッグに接続したり、血液ポンプの吸い込み側の分岐管に生食バッグを接続したりして、前述した空気の代わりに生理食塩水を送り込む方法である。
【０００６】
【発明が解決しようとする課題】
しかしながら、上記従来の生理食塩水による返血回収によれば、当該返血回収終了時に血液回路や血液浄化器内に生理食塩水が充填された状態となるので、そのまま廃棄すると、その残留液が周囲に飛散して作業者などへの感染事故が起こる虞があるとともに、残留した残留液の分だけ廃棄物の重量が嵩んでしまい、処理費用が多大となってしまうという問題があった。
【０００７】
然るに、返血回収後に血液回路及び血液浄化器内に残留した残留液をバケツなどに排出しておき、廃棄の際の重量を低減させ、処理費用を抑制することも考え得るが、排出のための手作業とバケツなどの消毒作業が別途必要となり、作業性が悪化してしまうとともに、そのバケツなどへの排出作業時に誤って残留液を周囲に飛散させ、感染事故が起こる虞もあった。
【０００８】
本発明は、このような事情に鑑みてなされたもので、返血回収後に血液回路及び血液浄化器内に残留した残留液を排出して廃棄される血液回路及び血液浄化器の重量を低減するとともに、その残留液の排出作業における作業性及び安全性を向上させることができる残留液の排出方法及び排出装置を提供することにある。
【０００９】
【課題を解決するための手段】
請求項１記載の発明は、患者の血液を体外で循環させ体内に送り返すべく血液ポンプを有した動脈側血液回路及び静脈側血液回路から成る血液回路と、該血液回路中を流れる血液を通過させる血液流通路、及び透析液を通過させる透析液流通路が形成され、これら血液流通路と透析液流通路との間に血液浄化膜を内在した血液浄化器と、該血液浄化器の透析液流通路に透析液を供給するとともに、当該透析液流通路を通過した透析液を排出する透析装置本体とを具備した透析装置を用いて患者の血液浄化及び返血回収した後、前記血液回路及び血液浄化器に残留した残留液を排出するための残留液の排出方法において、前記動脈側血液回路と静脈側血液回路とを接続し、且つ、前記血液ポンプを駆動させつつ前記血液浄化器における血液流通路と透析液流通路との間に差圧を生じさせ、該差圧にて前記血液浄化膜を介して前記血液流通路中の残留液を透析液流通路に送ることにより、前記血液回路及び血液浄化器中の残留液を透析装置本体に排出するとともに、当該残留液の排出時であって排出開始から排出終了までの間、前記静脈側血液回路の一部を大気開放としておくことを特徴とする。
【００１１】
請求項２記載の発明は、前記透析液流通路中の透析液を排出又は該排出を補助するための循環ポンプが前記透析装置本体の透析液排出経路に配設された前記透析装置を用いて患者の血液を浄化した後、前記循環ポンプを駆動させることにより、前記透析液流通路を前記血液流通路より低圧とし、生じた差圧で当該血液流通路内の残留液を透析液流通路に送ることを特徴とする。
【００１３】
請求項３記載の発明は、前記血液回路における動脈側血液回路先端と静脈側血液回路先端とを接続した状態にて、当該血液回路及び血液浄化器の残留液を透析装置本体に排出することを特徴とする。
【００１４】
請求項４記載の発明は、患者の血液を体外で循環させ体内に送り返すべく血液ポンプを有した動脈側血液回路及び静脈側血液回路から成る血液回路と、該血液回路中を流れる血液を通過させる血液流通路、及び透析液を通過させる透析液流通路が形成され、これら血液流通路と透析液流通路との間に血液浄化膜を内在した血液浄化器と、該血液浄化器の透析液流通路に透析液を供給するとともに、当該透析液流通路を通過した透析液を排出する透析装置本体とを具備した透析装置を用いて患者の血液浄化及び返血回収した後、前記血液回路及び血液浄化器に残留した残留液を排出するための残留液の排出装置において、前記動脈側血液回路と静脈側血液回路とを接続し、且つ、前記血液ポンプを駆動させつつ前記血液浄化器における血液流通路と透析液流通路との間に差圧を生じさせ、該差圧にて前記血液浄化膜を介して前記血液流通路中の残留液を透析液流通路に送ることにより、前記血液回路及び血液浄化器中の残留液を透析装置本体に排出するとともに、当該残留液の排出時であって排出開始から排出終了までの間、前記静脈側血液回路の一部を大気開放としておくことを特徴とする。
【００１６】
請求項５記載の発明は、前記透析液流通路中の透析液を排出又は該排出を補助するための循環ポンプが前記透析装置本体の透析液排出経路に配設された前記透析装置を用いて患者の血液を浄化した後、前記循環ポンプを駆動させることにより、前記透析液流通路を前記血液流通路より低圧とし、生じた差圧で当該血液流通路内の残留液を透析液流通路に送ることを特徴とする。
【００１８】
請求項６記載の発明は、前記血液回路における動脈側血液回路先端と静脈側血液回路先端とを接続するための接続手段を有し、該接続手段による接続状態にて、前記血液回路及び血液浄化器の残留液を透析装置本体に排出することを特徴とする。
【００１９】
【発明の実施の形態】
以下、本発明の実施形態について図面を参照しながら具体的に説明する。
まず、本実施形態における残留液の排出方法が適用される透析装置について説明する。かかる透析装置は、患者の血液を採取して透析膜を介して当該血液中の不要物を透析液中に移動させることにより浄化し、浄化された血液を再び患者の体内に戻すものであり、血液回路１と、ダイアライザ２（血液浄化器）と、透析装置本体３とから主に構成されている。
【００２０】
血液回路１は、除泡のためのドリップチャンバ４が接続されるとともにしごき型の血液ポンプ６が配設される上流側血液回路１ａと、除泡のためのドリップチャンバ５が接続された下流側血液回路１ｂとから構成され、このうち上流側血液回路１ａがダイアライザ２の血液導入ポート２ａに、下流側血液回路１ｂが血液導出ポート２ｂに接続されている。尚、血液回路１は、主に可撓性チューブから成り、特に血液ポンプ６が配設される部位には他より太径且つ柔軟性に富んだ可撓性チューブで構成されている。
【００２１】
また、上流側血液回路１ａの先端には、コネクタ１ａａが取り付けられており、このコネクタ１ａａに動脈側穿刺針ａが取り付けられているとともに、下流側血液回路１ｂの先端にも同様のコネクタ１ｂａが取り付けられており、このコネクタ１ｂａに静脈側穿刺針ｂが取り付けられるよう構成されている。これら穿刺針ａ、ｂを患者に穿刺して血液を血液回路１内に導入し、ダイアライザ２を介して体外で循環させて戻すようになっている。
【００２２】
ダイアライザ２は、図３に示すように、略筒状の筐体における両側面に血液導入ポート２ａ及び血液導出ポート２ｂが形成されるとともに、上面に透析液導入ポート２ｃ及び透析液導出ポート２ｄが形成されたものである。筐体内には複数の中空糸膜２ｅ（血液浄化膜）が配設されており、該中空糸膜２ｅ内部が血液導入ポート２ａ及び血液導出ポート２ｂを連通して血液回路１中を流れる血液を通過させ得る血液流通路を成している一方、中空糸膜２ｅ外周面と筐体との間の空間が透析液導入ポート２ｃ及び透析液導出ポート２ｄを連通して透析装置本体３から供給された透析液を通過させ得る透析液流路を成している。
【００２３】
また、中空糸膜２ｅには複数の微少孔が形成されているため、中空糸膜２ｅを隔てて血液が血液流通路を通過し、透析液が透析液流通路を通過する際、当該中空糸膜２ｅを介して血液中の不要物（老廃物）が透析液側に透析除去することができるよう構成されている。尚、同図中符号２ｆは、中空糸膜２ｅを血液導入ポート２ａと液密に連通させる封止剤を示している。
【００２４】
透析装置本体３は、ダイアライザ２の透析液導入ポート２ｃ及び透析液導出ポート２ｄにそれぞれ接続された透析液導入ラインＬ１及び透析液排出ラインＬ２を有して、当該ダイアライザ２の透析液流通路に透析液を供給するとともに、該透析液流通路を通過した透析液を排出するためのもので、往復動ポンプ（複式ポンプ）７と、循環ポンプ８と、除水ポンプ９とから主に構成されている。
【００２５】
往復動ポンプ７は、透析液導入ラインＬ１と透析液排出ラインＬ２とに跨って配設された単一のプランジャ７ａを有し、このプランジャ７ａの往復動作によって当該透析液導入ラインＬ１の透析液をダイアライザ２の透析液導入ポート２ｃから供給するとともに、透析液流通路を通過した透析液を透析液導出ポート２ｄから透析液排出ラインＬ２を介して排出するよう構成されている。
【００２６】
即ち、往復動ポンプ７のポンプ室はプランジャ７ａによって２つに隔成され、一方の室（図１における上側の室）が透析液導入ラインＬ１と連通するとともに、他方の室（同図における下側の室）が透析液排出ラインＬ２と連通して構成されているのである。これにより、通常の透析治療中において、プランジャ７ａが上方向に向かって動くときは、上側のポンプヘッドは透析液をダイアライザ２に向かって送液し、下側のポンプヘッドはダイアライザ２から透析液を吸い込む一方、プランジャ７ａが下方向に向かって動くときは、ダイアライザ２に対する液送は行われず、上側のポンプヘッドは給液口方向から透析液を吸い込み、下側のポンプヘッドは装置の排液口に向かって液送する。
【００２７】
また、透析液排出ラインＬ２には、往復動ポンプ７の上流側から下流側まで当該往復動ポンプ７を迂回して延びる除水ラインＬ３と、往復動ポンプ７を迂回しつつ除水ラインＬ３をバイパスする迂回ラインＬ４とが接続されている。尚、透析液排出ラインＬ２と迂回ラインＬ４との分岐部位には、チャンバ１１が接続されており、透析液中に混入した気泡を分離し、迂回ラインＬ４を介して気泡を外部に放出し得るよう構成されている。尚、チャンバ１１に代えて分岐管を用いたものとしてもよい。
【００２８】
更に、除水ラインＬ３には除水ポンプ９が接続されるとともに、迂回ラインＬ４には透析液の流れを遮断可能な迂回ライン用遮断弁１０が接続されている。このうち、除水ポンプ９を駆動させると、ダイアライザ２に供給される透析液よりも排出される方の流量が多くなり、血液流通路を通過する血液から水分を取り除くことができる。
【００２９】
循環ポンプ８は、透析液排出ラインＬ２に接続されたカスケードポンプ、ギアポンプ又はベーンポンプなどの加圧ポンプから構成されており、往復動ポンプ７の排液側のポンプ室より上流側（透析液排出ラインＬ２における循環ポンプ８と往復動ポンプ７との間のライン）の圧力を調整して、その圧力が往復動ポンプ７の送液側のポンプ室より上流側（透析液の供給源側）の圧力と略等しくなるよう制御するものである。
【００３０】
上記透析装置にて血液透析治療を行うには、動脈側穿刺針ａ及び静脈側穿刺針ｂをそれぞれ患者に穿刺し、血液ポンプ６及び往復動ポンプ７を駆動させる。すると、血液ポンプ３のしごき作用により患者の動脈から血液が採取されて動脈側血液回路１ａを流れ、ドリップチャンバ４にて除泡が施された後、血液導入ポート２ａからダイアライザ２内に導入される一方、透析液は透析液導入ラインＬ１を流れて透析液導入ポート２ｃからダイアライザ２内に導入される。尚、通常の透析治療中においては、迂回ライン用遮断弁１０は閉じられている。
【００３１】
ダイアライザ２内に導入された血液は、中空糸膜２ｅ内の血液流通路を通過するとともに、供給された透析液は中空糸膜２ｅ外周面とダイアライザ２の筐体との間の透析液流通路を通過し、その過程において、中空糸膜２ｅを介して血液が透析液に接触し、血液の透析浄化が行われる。その後、浄化された血液は血液導出ポート２ｂから導出され、ドリップチャンバ５で除泡が施された後、静脈側穿刺針ｂにて患者の体内に戻される。
【００３２】
また、透析浄化によって血液の不要物（老廃物）が混入した透析液は、透析液導出ポート２ｄから透析液排出ラインＬ２に排出される。尚、除水時には、上記動作に加えて除水ポンプ９を駆動させ、往復動ポンプ７によるダイアライザ２への供給量よりも、ダイアライザ２からの排出量を多くして、その差を血液から除かれた水分で補填されるので、結果として除水が行われる。
【００３３】
上記透析治療が終了すると、血液回路１及びダイアライザ２内に残った血液を患者の体内に戻す返血回収が行われる。かかる返血回収は、動脈側穿刺針ａを患者から抜き取って生理食塩水が収容された生食バッグに当該動脈側穿刺針ａを接続し、又は血液ポンプ６の吸い込み側の分岐管に生食バッグを接続した状態で血液ポンプ６を駆動させることにより行われる。
【００３４】
これにより、血液ポンプ６のしごき作用で生理食塩水が血液回路１内を流れて当該血液回路１及びダイアライザ２内に残った血液を静脈側穿刺針ｂ側へ送り出し、患者の体内に戻すことができるのである。かかる返血回収後には、生食バッグから吸い込まれた生理食塩水（残留液）が血液回路１及びダイアライザ２内に充填された状態となっている。
【００３５】
本実施形態における残留液の排出方法は、このような状態にある残留液を透析装置本体３へ排出するものであり、図２に示すように、動脈側穿刺針ａ及び静脈側穿刺針ｂをコネクタ１ａａ及びコネクタ１ｂａから取り外し、両コネクタを接続した状態にて行われる。図４に示すように、通常、動脈側血液回路１ａ及び静脈側血液回路１ｂの各先端に取り付けられ、コネクタ１ａａ及び１ｂａを保護する保護用キャップ１２（接続手段）が備えられており、かかる保護用キャップ１２のうち一方を使用して、図５に示すように両コネクタを液密に接続している。
【００３６】
また、上記の如く通常配設されている保護用キャップ１２を利用して両コネクタを接続するものの他、図６に示すように、別途の接続手段１３を使用するようにしてもよい。この接続手段１３は、軟質塩ビ系チューブ又はシリコンチューブ等から成るものであり、コネクタ１ａａ及び１ｂａに動脈側穿刺針ａ及び静脈側穿刺針ｂを取り付けたままの状態で接続可能とされており、コネクタ１ａａ及び１ｂａの外周面にそれぞれ液密に接続されるよう構成されている。
【００３７】
かかる接続手段１３によれば、動脈側穿刺針ａ及び静脈側穿刺針ｂを取り付けたままで接続させ、以後の残留液の排出を行うことができるので、一連の残留液の排出作業における作業性を向上させることができるとともに、穿刺針をコネクタから抜く際に残留液が周囲に飛散するのを防止することができる。
【００３８】
上記接続状態において、迂回ライン用遮断弁１０を開いておくとともに、血液ポンプ６及び循環ポンプ８の双方を駆動させる。この時、往復動ポンプ７及び除水ポンプ９は停止した状態とされているが、血液ポンプ６のしごき作用により、血液回路１中の残留液がダイアライザ２の血液流通路内（即ち中空糸膜２ｅ内）に送られるとともに、循環ポンプ８の駆動により、血液流通路内における残留液の液圧が透析液流通路内の透析液より相対的に高圧となる。
【００３９】
尚、かかる残留液の排出作業時においては、ドリップチャンバ５に接続された液面レベル調整用ライン或いは圧モニタラインの先端を大気開放としておき、血液回路１内の残留液と空気とを置換させる必要がある。即ち、コネクタ１ａａと１ｂａとを接続して血液回路１を閉回路とした場合、何らかの手段で当該血液回路１内に空気などの置換媒体を導入しないと透析装置本体３側に残留液を排出できないからである。
【００４０】
一方、循環ポンプ８の駆動により透析液流通路内の透析液は透析液排出ラインＬ２に排出されるので、透析液流通路を血液流通路より相対的に低圧とされ、これと血液ポンプ６の駆動に基づく差圧との相乗によって血液流通路内の残留液が中空糸膜２ｅを介して透析液流通路に送られる。尚、血液ポンプ６の回転速度は、排液速度の９０％程度が最も適切であるが、その速度以外の回転速度によっても排液することも可能である。
【００４１】
透析液流通路に送られた残留液は、透析液排出ラインＬ２を介してチャンバ１１に至り、そこから迂回ラインＬ４を通って装置外へ排出される。ここで、ダイアライザ２の中空糸膜は、水を透過させるものの空気は透過させないため、血液導入ポート２ａから送られてくる残留液がなくなり空気に変わると、その空気がそのままダイアライザ２の血液導出ポート２ｂから排出される。これにより、静脈側血液回路１ｂにおけるドリップチャンバ５よりも上流側部分の残留液は、血液導出ポート２ｂから排出された空気によって押し出され、ドリップチャンバ５に至るので、そこから血液ポンプ６の動作によって動脈側血液回路１ａに至り、ダイアライザ２内に導入されて透析装置本体３側へ排出されることとなる。
【００４２】
残留液排出作業後、透析液導入ラインＬ１をダイアライザ２の透析液導入ポート２ｃから外し、暫くは循環ポンプ８を駆動させておく。これにより、開放された透析液導入ポート２ｃからダイアライザ２内に空気が導入され、透析液流通路内の透析液が全て透析液排出ラインＬ２に排出される。
【００４３】
尚、かかる動作を自動で行わせるべく、例えば図７に示すように、透析液導入ラインＬ１に予め先端が大気開放した分岐ラインｌを接続しておき、該分岐ラインｌの途中に電磁弁などから成るエア吸い込み用遮断弁１４を配設しておく。そして、残留液排出作業後、エア吸い込み用遮断弁１４を開くことにより、透析液導入ポート２ｃからダイアライザ２内に空気が導入され、透析液流通路内の透析液が全て透析液排出ラインＬ２に排出されるよう構成してもよい。
【００４４】
上記残留液の排出方法によれば、血液回路１及びダイアライザ２内に残留した残留液を透析装置本体３に排出するので、廃棄される血液回路１及び血液浄化器２の重量を低減するとともに、血液回路１の先端から残留液を排出するものに比べて、残留液の排出作業における作業性を向上させることができる。また、血液回路１の先端同士を接続しているので、残留液が周囲へ飛散するのを回避でき安全性を向上することができる。
【００４５】
以上、本実施形態について説明したが、本発明はこれに限定されず、例えば図８に示すように、除水ポンプ９を駆動させることにより残留液を排出するようにしてもよい。この場合、先の実施形態の如く動脈側血液回路１ａ先端のコネクタ１ａａと静脈側血液回路１ｂ先端のコネクタ１ｂａとを接続する一方、迂回ライン用遮断弁１０は閉じた状態にて排出が行われる。即ち、除水ポンプ９の駆動で血液流通路から透析液流通路に引っ張られた残留液は、透析液排出ラインＬ２を介してチャンバ１１に至り、除水ラインＬ３を経て装置外へ排出されるのである。
【００４６】
更に、図９に示すように、透析液排出ラインＬ２における循環ポンプ８より上流側から往復動ポンプ７における排液側ポンプ室より下流側のラインまで延設され、その途中において電磁弁１５を有した迂回ラインＬ５（通常、透析装置本体３が具備しているが、ないものにおいては新たに設置してもよい）を利用して残留液の排出を行ってもよい。即ち、同図の如くダイアライザ２の血液導出ポート２ｂからドリップチャンバ５までを接続するラインをクランプしておき、かかる状態にて血液ポンプ６を駆動させれば、ダイアライザ２内の血液流通路が透析液流通路より高圧となり、その差圧で血液回路１及びダイアライザ２内の残留液を透析装置本体３に排出することができるのである。
【００４７】
尚、本実施形態においては、動脈側血液回路１ａの先端に動脈側穿刺針ａ、静脈側血液回路１ｂの先端に静脈側穿刺針ｂがそれぞれ接続されるもの（ダブルニードル）に本発明を適用しているが、シングルニードル（１本の穿刺針を具備し、分岐管で動脈側血液回路１ａと静脈側血液回路１ｂとに分岐させる）のものに適用してもよい。シングルニードル使用時には治療が終了して動脈側シャントコネクタをシングルニードル接続部から外す際、血液の漏洩を防止するため、シングルニードルに付属しているクランプ手段もしくはコッフェル（鉗子）等によって失血防止策が必要である。
【００４８】
また、本実施形態においては、透析装置本体内３内に往復動ポンプ７を配設し、該往復動ポンプ７の駆動により透析液をダイアライザ２側に供給しつつ排出する構成のものに本発明を適用しているが、当該往復動ポンプ７以外のもの（例えばチャンバ方式のものなど）に適用してもよい。
【００４９】
【発明の効果】
請求項１及び請求項４の発明によれば、血液回路及び血液浄化器内に残留した残留液を透析装置本体に排出するので、廃棄される血液回路及び血液浄化器の重量を低減するとともに、その残留液の排出作業における作業性及び安全性を向上させることができる。
【００５０】
また、請求項１及び請求項４の発明によれば、血液流通路と透析液流通路との間に差圧を生じさせ、その差圧にて血液回路及び血液浄化器中の残留液を透析装置本体に排出するので、新たな手段を別途付与する必要がなく排出作業を行うことができる。
【００５１】
請求項２及び請求項５の発明によれば、循環ポンプを駆動させて透析液流通路を前記血液流通路より低圧とし、生じた差圧で当該血液流通路内の残留液を透析液流通路に送るので、新たな手段を別途付与せずに血液回路及び血液浄化器内の残留液を透析装置本体に排出することができる。更に、循環ポンプの駆動とともに血液ポンプも駆動させているので、血液回路内の残留液を血液浄化器内に送り込むことができ、よりスムーズに残留液を透析装置本体側に送って排出させることができる。
【００５３】
請求項３及び請求項６の発明によれば、動脈側血液回路先端と静脈側血液回路先端とを接続した状態にて、残留液の排出が行われるので、より正確に血液回路及び血液浄化器の残留液を透析装置本体に排出することができる。
【図面の簡単な説明】
【図１】本発明の実施形態に係る残留液の排出方法が適用される血液回路、血液浄化器及び透析装置本体を示す模式図
【図２】本発明の実施形態に係る残留液の排出方法を示すための模式図
【図３】本発明の実施形態に係る残留液の排出方法が適用される血液浄化器を示す一部破断図
【図４】本発明の実施形態に係る残留液の排出方法が適用される血液回路における接続手段を示す模式図
【図５】本発明の実施形態に係る残留液の排出方法が適用される血液回路における接続手段により接続された状態を示す模式図
【図６】本発明の実施形態に係る残留液の排出方法が適用される血液回路における他の接続手段を示す模式図
【図７】本発明の実施形態に係る他の残留液の排出方法を示すための模式図
【図８】本発明の他の実施形態に係る残留液の排出方法を示すための模式図
【図９】本発明の他の実施形態に係る残留液の排出方法を示すための模式図
【符号の説明】
１…血液回路
１ａ…動脈側血液回路
１ｂ…静脈側血液回路
２…ダイアライザ（血液浄化器）
２ｅ…中空糸膜（血液浄化膜）
３…透析装置本体
４、５…ドリップチャンバ
６…血液ポンプ
７…往復動ポンプ
８…循環ポンプ
９…除水ポンプ
１０…迂回ライン用遮断弁
１１…チャンバ
１２…保護用キャップ（接続手段）
１３…接続手段
１４…エア吸い込み用遮断弁
【図１】
0004080767.tif 000002
【図２】
0004080767.tif 000003
【図３】
0004080767.tif 000004
【図４】
0004080767.tif 000005
【図５】
0004080767.tif 000006
【図６】
0004080767.tif 000007
【図７】
0004080767.tif 000008
【図８】
0004080767.tif 000009
【図９】
0004080767.tif 000010